(57)【特許請求の範囲】
【請求項１】
水を１００ＭＰａ以上７００ＭＰａ以下に加圧し、加圧水とする加圧装置と、
前記加圧水を２以上の方向より噴射し、互いに衝突させる加圧水噴射部と、
回転筒を備え、前記衝突した水を遠心分離する遠心分離機と、
を備え、
前記加圧水噴射部の噴射口が前記遠心分離機の回転筒内に配設されることを特徴とする、
水処理装置。
【請求項２】
前記噴射口の径方向の幅が、０．０１ｍｍ以上１．００ｍｍ以下であることを特徴とする、請求項１に記載の水処理装置。
【請求項３】
水を１００ＭＰａ以上７００ＭＰａ以下に加圧し、加圧水とする加圧工程と、
前記加圧水を２以上の方向より噴射し、互いに衝突させる加圧水衝突工程と、
前記衝突させた水を、回転筒を備える遠心分離機により遠心分離処理する遠心分離工程と、
前記遠心分離した水を軽液と重液とに分離して取り出す分取工程と、
を備え、
前記加圧水衝突工程は、前記遠心分離機の前記回転筒内部で行われることを特徴とする、水処理方法。
【発明の詳細な説明】
【技術分野】
【０００１】
本発明は、水処置装置および水処理方法に関する。
【背景技術】
【０００２】
遠心分離法は、遠心力を利用して特定の物質を分離する分離方法である。遠心力を利用することで、自然沈降による分離よりも短時間で沈降・分離を進行させることができる。
遠心分離法は、液体混合物の分離に適しているといった利点がある。例えば、ろ過や抽出による分離が困難な懸濁液などは、遠心分離による分離方法が適している。そして、連続的に処理が可能であること、大量処理が可能であることなどから、遠心分離による分離方法は産業界で広く利用されている。【０００３】
しかしながら、遠心分離法であっても分離困難な混合物も存在する。例えば、同位体の分離である。このような例として、例えば水とトリチウム水の分離などが挙げられる。【０００４】
トリチウム（化学記号Ｔ）は三重水素とも呼ばれる放射性物質で、水素の同位体である。原子核が陽子１個からなるものがプロチウム（軽水素）であり、水素の同位体の中で最も多く存在する。これに対し、原子核が陽子１個と中性子１個からなるものをデューテリウム（重水素）、原子核が陽子１個と中性子２個からなるものをトリチウム（三重水素）と呼ぶ。
トリチウムは、宇宙からの放射線により大気が反応することで生成するため、少ないながら自然界にも存在する。また、トリチウムは酸素と結びつくことにより、トリチウム水（ＨＴＯ）などとして水（Ｈ２Ｏ）と混在する。【０００５】
そのほか、トリチウムは原子力発電所の原子炉の中でも生成する。セシウム１３７やストロンチウム９０といった放射性物質の除去には、化学的性質を利用した吸着や濾過を用いることが可能である。しかしながら、これらの方法であっても、化学的性質がほぼ同じであるトリチウム水と通常の水との分離は極めて困難である。【０００６】
トリチウムはベータ崩壊により弱いベータ線を放出する。また、トリチウムの半減期は約１２年である。トリチウムについては、体内に取り込まれた際の内部被ばくの影響が懸念されている。
このような性質を持つトリチウムを処理するため、適切にかつ効率的に分離・除去できる方法が望まれる。【０００７】
水からトリチウム水のみを選択的に除去する方法について、沸点のわずかな差を利用する方法や、化学反応を利用する方法などが検討されてきたが、大量のトリチウムを除去することは依然困難である。それでも、トリチウムを分離・濃縮する方法についてこれまでにいくつか開示されている。【０００８】
例えば特許文献１には、汚染水蒸気を遠心分離処理して、汚染水蒸気中からトリチウム水を分離する放射能汚染水の処理方法について開示されている。【０００９】
また、特許文献２には、２５０ＭＰａに加圧した加圧水を噴射部から噴射して衝突させ、水に高い運動エネルギーを付与する手法が開示されている。そして、この高い運動エネルギーにより、局所的に水素結合の切断等が起こっていることが示唆されている。
特許文献３および特許文献４には、円筒状回転筒を備える遠心分離装置が開示されている。
【先行技術文献】
【特許文献】
【００１０】
【特許文献１】特開２０１５−０８０７４８号公報
【特許文献２】特許第５９１３６７０号公報
【特許文献３】特公平０５−０３０５０７号公報
【特許文献４】特許第５８３２７８９号公報
【００１１】
しかしながら、通常の遠心分離機では成分同士の分離が困難な場合がある。例えば、分離したい成分同士に強い水素結合が働く場合である。遠心分離による分子同士の解離力よりも、分子間の水素結合が強い場合、分離は困難となる。水は特に分子間の水素結合が強いため、水成分同士の分離は極めて困難である。
【発明の概要】
【発明が解決しようとする課題】
【００１２】
解決しようとする問題点は、例えばトリチウム水と通常の水の分離のように、分離が困難な水系混合物の分離に際し、高いエネルギーを付与させただけでは、水素結合が再形成されるため、分離するには不十分な点である。
【課題を解決するための手段】
【００１３】
本発明は、加圧処理した水（加圧水）同士を衝突させて高い運動エネルギーを付与した後、遠心分離処理を行うことを最も主要な特徴とする。【００１４】
本発明は、上記課題を鑑みてなされたものであり、以下の手段を採用している。
（１）請求項１の発明は、水を１００ＭＰａ以上７００ＭＰａ以下に加圧し、加圧水とする加圧装置と、前記加圧水を２以上の方向より噴射し、互いに衝突させる加圧水噴射部と、回転筒を備え、前記衝突した水を遠心分離する遠心分離機と、を備え、前記加圧水噴射部の噴射口が遠心分離機内に配設されることを特徴とする、水処理装置を提供する。
（２）請求項２の発明は、前記噴射口の径方向の幅が、０．０１ｍｍ以上１．００ｍｍ以下であることを特徴とする、請求項１に記載の水処理装置を提供する。
この場合、噴射する水の噴出速度が大きくなり、水に付与する衝突エネルギーが増大するため、分離能が向上する。
（３）請求項３の発明は、水を１００ＭＰａ以上７００ＭＰａ以下に加圧し、加圧水とする加圧工程と、前記加圧水を２以上の方向より噴射し、互いに衝突させる加圧水衝突工程と、前記衝突させた水を、回転筒を備える遠心分離機により遠心分離処理する遠心分離工程と、前記遠心分離した水を軽液と重液とに分離して取り出す分取工程と、を備え、前記加圧水衝突工程は、前記遠心分離機の前記回転筒内部で行われることを特徴とする、水処理方法を提供する。
【発明の効果】
【００１５】
本発明の水の処置装置および水の処理方法は、加圧水の噴射口を遠心分離機の回転筒内に配設し、当該回転筒内で加圧水同士を衝突させることにより、高い衝突エネルギーを得た水が直ちに遠心分子処理されるため、水分子間の水素結合の再形成を抑制し、その間に成分を分離し得るという利点がある。
【図面の簡単な説明】
【００１６】
【図１】本実施形態に係る水処理装置の概念図である。
【図２】本実施形態に係る加圧装置を示した図である。
【図３】本実施形態に係る同軸ノズルの断面図である。
【図４】本実施形態に係る同軸ノズルを噴射口側から見た図である。
【図５】本実施形態に係る同軸ノズルの噴射角度を説明するための模式図である。
【図６】本実施形態に係る遠心分離機の断面図である。
【図７】本実施形態に係る遠心分離機の使用時の状態を示す図である。
【図８】変形例に係る水処理装置の概念図である。
【図９】変形例に係る単一軸ノズルの断面図である。
【図１０】変形例に係るノズルの配置を示す図である。
【発明を実施するための形態】
【００１７】
本発明の実施形態を図面に基づいて説明する。以下の各実施形態では、同一又は対応する部分については同一の符号を付して説明を適宜省略する場合がある。また、以下に用いる図面は本実施形態を説明するために用いるものであり、実際の寸法とは異なる場合がある。
【００１８】
以下、水処置装置１の上下方向（鉛直方向）をＺ軸方向とし、上側をＺ軸正方向とする。上下方向に直交する２方向をそれぞれＸ軸方向及びＹ軸方向として説明する。上下方向に直交する方向、すなわちＸ−Ｙ平面に沿う方向を水平方向と、Ｘ−Ｙ平面を水平面と表記することがある。
【００１９】
また、円筒形状を備えるものについては、その中心軸に沿う方向を軸方向と表記する。また、中心軸と垂直に交わる平面において、中心軸から離間する方向を径方向と、円筒外周に沿う方向を周方向と表記する。
【００２０】
回転するものについても、回転軸に沿う方向を軸方向と表記する。また、回転軸に垂直に交わる平面において、回転軸から離間する方向を径方向と表記し、回転に沿う方向を周方向と表記する。
【００２１】
なお、水圧を示す単位としてＭＰａ（メガパスカル）を用いる。大気圧を１気圧とし、１気圧＝０．１ＭＰａとする。
【００２２】
（実施形態の概要）
本実施形態の概要について、図１を用いて説明する。水処理装置１は、取り込んだ水を加圧装置１０で２５０ＭＰａに加圧する。この加圧した水を、加圧水噴射部２０を通じて噴射して衝突させることにより、水に高いエネルギーを付与する。加圧水噴射部２０は遠心分離機３０内に配設されており、高エネルギーにより水素結合の影響が小さくなった水を、遠心分離機３０内でただちに遠心分離処理することができるため、軽液成分と重液成分を効率よく分離することができる。
【００２３】
（実施形態の詳細）
以下、本実施形態に係る水処置装置１について、詳細を説明する。
【００２４】
（第一の実施形態）
＜水処置装置１＞
図１に示すように、本実施形態における水処置装置１は、加圧装置１０、加圧水噴射部２０、および遠心分離機３０を備える。
【００２５】
＜加圧装置１０＞
加圧装置１０は取り込んだ水を加圧する装置である。加圧装置１０は例えば、圧縮作用により水を加圧する。本実施形態において、加圧装置１０はピストン１２、シリンダチューブ１４、弁１６を備える。
取り込まれた水は加圧装置１０により１００ＭＰａ以上７００ＭＰａ以下の圧力に加圧される。ここで、加圧された水を以下「加圧水」と称する。
【００２６】
加圧装置が水に付与する圧力は高いほうが好ましい。後述する加圧水の噴射衝突により、水に高い運動エネルギーを付与できるためである。本実施形態において、加圧装置１０が水に付与する圧力は少なくとも１００ＭＰａ以上である。当該圧力が１００ＭＰａより低いと、水に十分な運動エネルギーを付与することができず、分子間の水素結合を切断するのに不十分である。
【００２７】
図２は加圧装置１０の模式図である。図中の矢印は水の流れる方向を示す。また、中抜きの矢印はピストン１２の往復運動の方向を示し、点線矢印は弁１６の開く方向を示す。
ピストン１２の左方向への移動により、第一の弁１６２が開き、水が取り込まれる。このとき第二の弁１６４は閉じている。続いて、ピストン１２の右方向への移動により第一の弁１６２が閉じるとともに水が加圧され、加圧された水は第二の弁１６４より送り出される。送り出された水は配管２６を通じて加圧水噴射部２０に至る。
【００２８】
なお、加圧装置１０として、市販の高圧ポンプを適宜用いることができる。このような高圧ポンプとして例えば、株式会社フロージャパン製の高圧ポンプ「ＨｙｐｅｒＰｒｅｓｓｕｒｅ」（登録商標）（６４８ＭＰａ）や、株式会社スギノマシン製の超高圧水発生ポンプユニット「ウォータージェットポンプ」（６００ＭＰａ）などを用いることができる。
【００２９】
＜加圧水噴射部２０＞
加圧水噴射部２０は加圧装置１０により加圧された水（加圧水）を噴射する。本実施形態において、加圧水噴射部２０はノズルを備える。また、加圧水噴射部２０は、配管２６を通じて加圧装置１０と接続する。即ち、加圧装置１０によって加圧された水は、配管２６を通じて加圧水噴射部２０に送液される。
また本実施形態において、加圧水噴射部２０の噴射口２２８は遠心分離機３０の内部に配設される。
【００３０】
加圧水噴射部２０は、加圧水を２以上の方向より噴射し、互いに衝突させる。加圧水同士を衝突させることにより、水に高い運動エネルギーを付与することができる。衝突により得られた高い運動エネルギーにより、分子間に生じる水素結合の影響を弱くすることができる。
【００３１】
加圧水を２以上の方向より噴射し、互いに衝突させる方法として、内部が分岐した１つのノズルから２以上の方向に加圧水を噴射して衝突させても良いし（以下「第一の衝突態様」とする。）、異なる方向を向いた２以上のノズルから交差するように加圧水を噴射して衝突させても良い（以下「第二の衝突態様」とする。）。
第一の衝突態様について以下説明する。第二の衝突態様については後述の変形例で説明する。
【００３２】
本実施形態において、加圧水噴射部２０は同軸ノズル２２を備える。以下同軸ノズル２２の構造について説明する。
【００３３】
図３は、同軸ノズル２２の中心軸を含む面における断面図である。図中の矢印は水の流れる方向を示す。同軸ノズル２２は中空のノズルボディ２２２と、流路制御部２２４を備える。略円筒形状のノズルボディ２２２に流路制御部２２４が内包される。
円形の孔である末端側開口部２２６から流入した水は、ノズルボディ２２２と流路制御部２２４との間の空隙を通過して噴射口２２８から噴射される。
なお図中において、配管との接続部分は省略している。
【００３４】
便宜上、ノズルボディ２２２と流路制御部２２４との間の空隙による水の流路を「同軸ノズル内流路」とも称する。また、同軸ノズル内流路の噴射口２２８側の空隙部分を噴射口側空隙２２８２とする（以下省略して「空隙２２８２」とする。）。
【００３５】
図４は同軸ノズル２２を噴射口２２８側から見た図である。図４に示すように、空隙２２８２の形状はリング状である。
【００３６】
ここで、ノズルボディ２２２と流路制御部２２４との間の空隙の径方向の幅を単に「径方向の幅」とする。なお「径方向の幅」は、空隙２２８２が形成する上記リング（図４）の直径を示すものではない。
本実施形態において、空隙２２８２の径方向の幅は０．１０ｍｍである。空隙２２８２の径方向の幅は０．０１ｍｍ以上１．００ｍｍ以下が好ましく、０．０３ｍｍ以上０．３０ｍｍ以下がより好ましく、０．０５ｍｍ以上０．１５ｍｍ以下が特に好ましい。
空隙２２８２の径方向の幅が上記範囲以下であることで、噴射口２２８から噴射される水の噴射速度が大きくなる。また、空隙２２８２の幅が上記範囲以上であることで噴射に必要な量の水が確保される。
【００３７】
上述したように、加圧水噴射部２０は、加圧水を２以上の方向より噴射し、互いに衝突させる。
図３を例に説明すると、同軸ノズル２２の末端側開口部２２６から流入した水は、一度同軸ノズル２２内で分岐し、噴射口２２８から噴射される。噴射口は１つであるが、ノズル内流路は分岐しているため、図３のような同一平面（Ｘ−Ｚ平面）を考えると、鉛直方向からの傾きが異なる２つの空隙２２８２を有することなる。即ち、異なる２つの空隙２２８２から異なる角度で噴出する水は互いに交差し、噴射口２２８の先の一点で衝突する。
【００３８】
図５は同軸ノズル２２の噴射角度を説明するための模式図である。図３同様、同軸ノズル２２の中心軸を含む面における断面図である。図中の矢印は水の流れる方向を示す。
また、鉛直方向（図中上下方向の点線）を基準として、噴射方向の傾きを示す角度を噴射角度αとする。
【００３９】
図５に示すように、異なる２つの空隙２２８２から異なる噴射角度（α、−α）で噴出する水は互いに交差し、噴射口２２８の先の一点で衝突する。
なお以下において、αと−αのように、異なる角度であることを強調する場合を除き、噴射角度αは絶対値を表すものとする。
【００４０】
本実施形態において、噴射角度αは４５度である。噴射角度αは１５度以上７５度以下であることが好ましく、３０度以上６０度以下であることがより好ましく、３０度以上４５度以下が最も好ましい。
噴射角度αを上記範囲内に設定することで、噴射口２２８から噴射する水同士が噴射口２２８近傍において高速度で衝突する。この衝突により、水に極めて高い運動エネルギーが付与される。
【００４１】
なお、図５において、噴射する水同士がなす角度（図５の矢印と矢印が成す角度）を衝突角度βと定義する。衝突角度βは３０度以上１５０度以下が好ましく、６０度以上１２０度以下がより好ましく、６０度以上９０度以下が最も好ましい。
衝突角度βが上記範囲内にあることにより、噴射口２２８から噴射する水同士が噴射口２２８近傍で衝突する。この衝突することにより、水に極めて高い運動エネルギーが付与される。
【００４２】
なお図５において、双方の噴射口における噴射角度の絶対値がαであるため、β＝２αである。常に双方の噴射角度の絶対値がαとなり、β＝２αとなる必要はないが、装置の軸対称性が維持できるようなノズルの配設態様がより好ましい。
【００４３】
＜遠心分離機３０＞
遠心分離機３０は、取り込んだ水に対して遠心分離処理を行う装置である。特に、本実施形態の遠心分離機３０は内部に加圧水噴射部２０の噴射口２２８を備えており、加圧水噴射部２０から噴射され、相互に衝突した水を直ちに遠心分離処理することができる。そして、遠心分離処理がなされた液体は分取される。以下、遠心分離機３０の一例を示す。
【００４４】
図６は遠心分離機３０の中心軸を含む面の断面図である。本実施形態において、遠心分離機３０は、ケーシング３２、回転筒３４、回転軸３６、および捕集カバー３８を備える。
なお、遠心分離機３０は回転軸３６の軸方向を中心軸とする略軸対称の構造を有するため、図中の紙面左側か右側のいずれかに符号を付して説明する。
【００４５】
ケーシング３２は回転筒３４を内包し、保護するための略円筒状の金属製ケースである。
回転筒３４は中空の円筒状金属容器である。回転筒３４は軸の周方向に沿って高速回転する。回転筒３４内に処理対象の水が取り込まれ、遠心分離処理が行われる。
【００４６】
回転軸３６はモータ（不図示）の回転駆動力に従って軸周りに回転する棒状の部材である。回転軸３６の回転に従って回転筒３４が回転する。
なお、回転軸３６は回転筒３４の取り外し等のため結合部を有するが、この結合部についての図示は省略する。
【００４７】
遠心分離機３０は底部に水の取り込み口を備える。水は配管２６を通じて取り込まれる。図６に示すように、本実施形態の遠心分離機３０は底部に同軸ノズル２２を備える。
なお、遠心分離機３０の回転筒３４は軸周りに回転するが、同軸ノズル２２は回転しなくてもよい。このような構成は例えば液体に対して密閉性のあるベアリング（不図示）を用いることで可能となる。
【００４８】
本実施形態において、遠心分離機３０は、加圧水噴射部２０から噴射し、衝突させた水に対して遠心分離処理を行う。図６に示すように、加圧水噴射部２０の噴射口２２８は、遠心分離機３０の内部、特に回転筒３４の内部に配設されるため、衝突した水は直ちに遠心分離処理される。
水に高エネルギーが加えられた状態で直ちに遠心分離処理することで、水素結合の再形成による影響を抑制することができるため、従来の装置や方法で分離が困難であった液体成分同士を分離することができる。
【００４９】
捕集カバー３８は遠心分離により分離した液体を捕集する傘状の部材である。本実施形態において、捕集カバー３８は第一の捕集カバー３８２と第二の捕集カバー３８４を備える。
【００５０】
第一の捕集カバー３８２は第二の捕集カバー３８４の外側に配設され、主に軽液を捕集する。これに対し、第二の捕集カバー３８４は主に重液を捕集する。
第一の捕集カバー３８２に捕集された軽液は、第一の捕集カバー３８２外周部に配設される軽液取出口３８２２より取り出すことができる。同様に、第二の捕集カバー３８４に捕集された重液は、第二の捕集カバー３８４外周部に配設される重液取出口３８４２より取り出すことができる。
【００５１】
ディスク３８６は回転筒３４の内側上部に配設されるドーナツ形状の部材である。ディスク３８６はダムディスクとも呼ばれ、重液と軽液の分離を容易にする。
【００５２】
図７は本実施形態に係る遠心分離機の使用時の状態を示す図である。直線の矢印は水の流れる方向を示し、円弧状の矢印は回転体の回転方向を示す。また、回転筒３４内の点線は、重液と軽液のおおよその境界を示したものである。
【００５３】
同軸ノズル２２の噴射口２２８近傍で衝突した水は、回転筒３４内で遠心処理され、重液と軽液に分かれる。
ここで、重液は混合物の中で相対的に比重の大きい液であり、軽液とは混合物の中で相対的に比重の小さい液を指す。例えば、通常の水が軽液であるとすると、相対的に比重の大きいトリチウム水は重液となる。重液と軽液は２種に限られるものではなく、比重の異なる成分が複数含まれる場合、その成分に応じて分けられる。
【００５４】
回転筒３４内において、径方向外側（図７の点線の外側）には重液が、径方向内側（図７の点線の内側（中心軸側））には軽液が流れる。これらの液体は下側から上側に流れていき、回転筒３４上部から流出する。
【００５５】
ここで、回転筒３４の内側上部に配設されるディスク３８６により、回転筒３４外径側の細い流路からは重液が流出し、回転筒３４内径側の細い流路からは軽液が流出する。  
即ち、図７に示すように、ディスク３８６の下面は重液と軽液の境界に直交するため、重液と軽液とを容易に分離する。
【００５６】
なお、遠心分離により重液と軽液を分離するものであれば、遠心分離機３０は市販のものを適宜用いることができる。このような遠心分離機として例えば、巴工業株式会社製の円筒型遠心分離機「ＡＳＭシリーズ」などを用いることができる。
【００５７】
以上のような構成により、本実施形態の水処理装置１は遠心分離機の分離能を向上させることができる。
即ち、加圧水噴射部２０の噴射口２２８を遠心分離機３０の回転筒３４内に配設することにより、加圧水の衝突で高い運動エネルギーが付与された水が直ちに遠心処理されるため、水とトリチウム水のような、通常分離が困難な成分を分離することができる。
【００５８】
続いて、本実施形態の水処理方法について説明する。本実施形態の水処理方法は、加圧工程、加圧水衝突工程、遠心分離工程、および分取工程を備える。
加圧工程は加圧装置１０により行われる。加圧水衝突工程は遠心分離機３０内部の加圧水噴射部２０により行われる。遠心分離工程および分取工程は遠心分離機３０により行われる。
【００５９】
＜加圧工程＞
加圧工程は、取り込んだ水を加圧装置１０によって加圧する工程である。加圧装置１０については上述した通りである。本実施形態において、加圧装置１０は水を２５０ＭＰａに加圧する。加圧工程により加圧水が得られ、当該加圧水は配管２６により次の工程に送液される。
【００６０】
＜加圧水衝突工程＞
加圧水衝突工程は、加圧水噴射部２０の噴射口２２８から加圧水を噴出させ、衝突させる工程である。特に、加圧水衝突工程では加圧水を２以上の方向より噴射し、互いに衝突させる。
【００６１】
加圧水を２以上の方向より噴射し、互いに衝突させる方法として、例えば上述した第一の衝突態様や第二の衝突態様がある。いずれにしても、加圧水噴射部の噴射口の先の一点で、角度をもって高圧水同士が交差し、衝突する。
なお本工程において、噴射口２２８から噴射する加圧水の噴射速度は毎秒２００ｍ以上８００ｍ以下である。このような高速度の水同士が互いに衝突することにより、水に高い運動エネルギーが付与される。
【００６２】
加圧水衝突工程は遠心分離機３０の内部で行われる。これは、水に高エネルギーが加えられた状態で直ちに遠心分離処理することで、水素結合の再形成による影響を抑制するためである。よって、加圧水衝突工程は遠心分離機３０の回転筒３４内部で行われることがより好ましい。
【００６３】
＜遠心分離工程＞
遠心分離工程は、上記加圧水衝突工程で衝突させた水を、遠心分離機３０により遠心分離処理する工程である。上述したように、本実施形態では遠心分離機３０内に噴射口２２８を備えるため、衝突した水が直ちにかつ連続的に遠心分離処理される。
遠心分離の態様は図７で説明した通りである。遠心分離機３０の底部から取り込まれた水は遠心分離処理されながら装置上部に向かい、分取工程に至る。
【００６４】
重力に従う自然沈降を１Ｇとした場合、遠心分離により径方向外側方向に係る遠心力は、数千から３０，０００Ｇ程度である。ただし、説明の趣旨に反しない限りにおいて、遠心力の上限をこれに限るものではない。例えば、超遠心機と呼ばれる、遠心力が数十万Ｇ以上に至る遠心分離機を用いても良い。
本工程により、水とトリチウム水のような混合物を、軽液と重液とに分離することができる。
【００６５】
＜分取工程＞
分取工程は、遠心分離機３０の回転筒３４内で分離した重液と軽液を分取する工程である。分取工程は遠心分離機３０内で行われる。即ち、重液と軽液はディスク３８により分画され、第一の捕集カバー３８２で捕集された軽液は軽液取出口３８２２から、第二の捕集カバー３８４に捕集された重液は重液取出口３８４２より取り出すことができる。
【００６６】
上記のような構成により、高圧水同士が衝突することで水に高い運動エネルギーを付与されるため、水分子間の水素結合の影響を超えて各水分子が自由に運動する。その状態で遠心分離処理が行われるため、例えばトリチウム水と通常の水のような混合物であっても重液および軽液として分離することができる。
【００６７】
（第二の実施形態）
第二の実施形態は、水処理装置１で処理した水を循環させ繰り返し処理するものである。
図８は第二の実施形態のフローを示したものである。加圧装置１０、加圧水噴射部２０、および遠心分離機３０は第一の実施形態と同じである。一方、第二の実施形態では、遠心分離機３０により遠心分離処理された水のうち、軽液は回収され、再び加圧装置１０に送液される。
【００６８】
軽液を繰り返し処理することにより、軽液成分の純度を高めることができる。例えば水とトリチウム水の場合、トリチウム水が除去されて通常の水を高い純度で得ることができる。
繰り返し処理された水は、例えば遠心分離機３０と加圧装置１０との間に設けられた回収口（不図示）から取り出すことができる。当該回収口として例えば、分岐した配管にコックが設けたものが挙げられる。
【００６９】
なおここで、軽液ではなく重液を繰り返し処理しても良い。この場合、高い純度の重液を得ることができる。水とトリチウム水を例に挙げると、高濃度のトリチウム水を回収し、別個の処理を行うことができる。
【００７０】
さらに、図８に示すように、第二の実施形態ではさらに冷却装置４０による冷却工程を追加しても良い。冷却装置４０は水を冷却する装置であり、冷却工程は、回収された水のうち再処理する水を冷却する工程である。
加圧水衝突工程を経た水は高温になるため、装置の維持管理上一度冷却することが好ましい。
【００７１】
（変形例）
本発明は上述の実施形態に限られるものではなく、本発明の趣旨を逸脱しない範囲において、上述の実施形態に種々の変更を加えたものを含む。
【００７２】
例えば、上述の実施形態では円筒（シャープレス）型の遠心分離機の例を挙げたが、これに限られるものではない。傘状に積層する複数のディスクを備える分離板型（ディスク型）の遠心分離機や、スクリューコンベアを備えるデカンタ型の遠心分離機を用いても良い。
【００７３】
上記の実施形態において、加圧水噴射部２０として同軸ノズル２２を用いていたが、同軸ノズルに替えて、ノズルの軸方向に沿って液体を噴射する単一軸ノズル２４を２本以上用いても良い（第二の衝突態様）。
【００７４】
図９は、単一軸ノズル２４の中心軸を含む面における断面図である。ノズルの中心軸に沿って空隙を有し、ノズルの軸方向に液体を噴射する。図中の矢印は水の流れる方向を示す。図９において、末端側開口部２４６は隙間なく配管２６と接続しているが、図示は省略している。
【００７５】
本変形例において、単一軸ノズル２４の噴射口２４８の径方向の幅（以下「噴射口２４８の直径」とする。）は０．１０ｍｍである。噴射口２４８の直径は０．０１ｍｍ以上１．００ｍｍ以下が好ましく、０．０３ｍｍ以上０．３０ｍｍ以下がより好ましく、０．０５ｍｍ以上０．１５ｍｍ以下が特に好ましい。
噴射口２４８の直径が上記範囲以下であることで、噴射口２２８から噴射される水の噴射速度が大きくなる。また、噴射口２４８の直径が上記範囲以上であることで必要量の水の噴射が確保される。
【００７６】
図９に示す単一軸ノズル２４を用いる態様は、噴射口２４８の直径が調整しやすく、容易に水の噴射速度が上げることができる。つまり、より高いエネルギーを水に付与することが容易であるため、好ましい。
【００７７】
図１０は、このような単一軸ノズル２４を２本用いた場合におけるノズルの配置を示した図である。分岐した配管２６の先に単一軸ノズル２４を配設する。噴出ノズル２４の噴射口２４８は上述の実施形態同様、遠心分離機内に配設される。図中の矢印は水の噴出する方向を示す。
２つの単一軸ノズル２４から噴出した水同士が衝突し、水に高い運動エネルギーを付与する。噴射口２４８が適切な角度になる配置は、上記噴射角度αや衝突角度βについて説明した場合と同様である。
【００７８】
単一軸ノズル２４から噴出した水が、各々の噴射口２４８より先方の一点で角度（β）を有して交差可能になるよう噴射方向が定められており、それぞれの単一軸ノズル２４から噴射される加圧水同士が互いに衝突する。
【００７９】
なお図１０において、それぞれの噴射口２４８の噴射角度の絶対値がαであるため、β＝２αである。それぞれの噴射角度の絶対値が常に同じ角度αとなり、β＝２αとなる必要はないが、装置の軸対称性が維持できる態様がより好ましい。
【００８０】
上記で挙げた装置の他、不純物等を除去するため、ろ過装置やフィルタを組み合わせても良い。例えば水を取り込む前に固形の不純物を除去することで、装置の故障等を防ぐことができる。
【産業上の利用可能性】
【００８１】
遠心分離機の大型化により、大量の水を連続的に処理することができ、例えば大量のトリチウム含有水を処理することができる。
【符号の説明】
【００８２】
１    水処置装置
１０    加圧装置
１２    ピストン
１４    シリンダチューブ
１６    弁
１６２    第一の弁
１６４    第二の弁
２０    加圧水噴射部
２２    同軸ノズル
２２２    ノズルボディ
２２４    流路制御部
２２６    末端側開口部
２２８    噴射口
２２８２    噴射口側空隙
２４    単一軸ノズル
２４２    ノズルボディ
２４６    末端側開口部
２４８    噴射口
２６    配管
３０    遠心分離機
３２    ケーシング
３４    回転筒
３６    回転軸
３８    捕集カバー
３８２    第一の捕集カバー
３８２２    軽液取出口
３８４    第二の捕集カバー
３８４２    重液取出口
３８６    ディスク
４０    冷却装置
α    噴射角度
β    衝突角度
【要約】
例えばトリチウム水と通常の水など、分離が困難な水成分同士の分離能向上を可能とする水処理装置および水処理方法に関する。
水処理装置１は、取り込んだ水を加圧装置１０で２５０ＭＰａに加圧する。この加圧した水を、加圧水噴射部２０を通じて噴射して衝突させることにより、水に高いエネルギーを付与する。加圧水噴射部２０は遠心分離機３０内に配設されていることから、高エネルギーにより水素結合の影響が小さくなった水を、遠心分離機３０内でただちに遠心分離処理することができ、軽液成分と重液成分を効率よく分離することができる。【図１】
0006968393.tif 000002
【図２】
0006968393.tif 000003
【図３】
0006968393.tif 000004
【図４】
0006968393.tif 000005
【図５】
0006968393.tif 000006
【図６】
0006968393.tif 000007
【図７】
0006968393.tif 000008
【図８】
0006968393.tif 000009
【図９】
0006968393.tif 000010
【図１０】
0006968393.tif 000011